(57)【要約】【課題】捕虫シートでの害虫の捕捉効率を上昇させ、且つ、捕虫シートの周囲に配置される配置物の損傷を防ぐ。【解決手段】捕虫シート１０１は、可撓性及び弾力性を有し、シート状をなしていて、少なくとも一方の面に粘着剤が塗布されている。この捕虫シート１０１には、切目１０３が設けられて、伸長可能となっている。捕虫シート１０１は、伸長された状態で、その両端部が捕虫シート保持器具２０１に設けられる一対の引掛部２０２Ｃのそれぞれに引っ掛けられる。【選択図】図１
2013132253.tif 000002
【特許請求の範囲】
【請求項１】
可撓性及び弾力性を有しシート状をなし切目が設けられて伸長可能であり少なくとも一方の面に粘着剤が塗布された捕虫シートの両端部を引っ掛けて、前記捕虫シートを伸長した状態のままで保持する一対の引掛部を備える、捕虫シート保持器具。
【請求項２】
長尺の基部と、
前記基部中の二箇所から延びる腕部と、
を更に備え、
前記引掛部は、前記腕部のそれぞれに設けられる、
請求項１記載の捕虫シート保持器具。
【請求項３】
前記基部及び前記腕部の少なくともいずれかに設けられ、前記捕虫シート保持器具を所定の設置場所に取り付けるための取付部品を着脱自在に装着可能な部品装着部を更に備える、
請求項２記載の捕虫シート保持器具。
【請求項４】
前記基部及び前記腕部の少なくともいずれかに設けられ、複数の前記捕虫シート保持器具を連結する連結部を更に備える、
請求項２又は３記載の捕虫シート保持器具。
【請求項５】
可撓性及び弾力性を有しシート状をなし切目が設けられて伸長可能であり少なくとも一方の面に粘着剤が塗布された捕虫シートを把持して前記捕虫シートを伸長する工程と、
伸長させた状態の前記捕虫シートの両端部を捕虫シート保持器具に設けられる一対の引掛部のそれぞれに引っ掛ける工程と、
を備える、捕虫シートの保持方法。
【請求項６】
可撓性及び弾力性を有しシート状をなし切目が設けられて伸長可能であり少なくとも一方の面に粘着剤が塗布された捕虫シート。
【発明の詳細な説明】
【技術分野】
【０００１】
本発明は、害虫を捕獲するための捕虫シートを保持する捕虫シート保持器具、この捕虫シート保持器具による捕虫シートの保持方法、並びに、その捕虫シートに関する。
【背景技術】
【０００２】
特許文献１には、色相誘引効果を利用して栽培ハウス内での飛翔害虫の発生状況を適確に察知することに用いられ、その発生状況に応じた適切な農薬散布のもとでハウス栽培を行うことを可能にするとされる飛翔害虫誘引捕獲粘着シ−ト材の発明が開示されている。特許文献１には、「本発明に係る飛翔害虫誘引捕獲粘着シ−ト材は、栽培ハウス内での飛翔害虫の粘着捕獲に使用される。本発明に係る飛翔害虫誘引捕獲粘着シ−ト材を使用するにあたっては、セパレ−タ−を上端部セパレ−タ−片を残して剥離し、吊支用孔にフックを掛け、図３に示すように、そのフック４をハウス内支柱、例えばトマト幹補強パイプの上端間横棒５に吊支して栽培ハウス内に設置する。」との記載がある（同文献の段落００１０及び図３参照）。
【０００３】
特許文献２には、害虫の捕獲性能（捕獲性）及び使い勝手に優れるとともに、製造が簡易で、低コストかつ低環境負荷であるとされる害虫捕獲器の発明が開示されている。特許文献２に記載の害虫捕獲器１０は、容器１と、害虫を捕捉可能な捕捉部材２（透明粘着剤層２１）と、容器１を所定の場所に固定可能な固定部材３（棒状体形状の支柱）とを備えて構成される（同文献の段落００１０、００３９）。特許文献２には、容器１が「害虫が内部に侵入可能な複数の開口部１１ｂ及び細長部１１ａを有する中空球状の本体部１１、並びに本体部１１の上下端に配設された頂部１２及び底部１３を有する」ものである旨が記載され、更に、「複数の開口部１１ｂは、頂部１２及び底部１３間をその経度方向に延伸する笹の葉又は柳の葉形状のスリットであることが好ましく（…）、複数本の細長部１１ａは、スリット１１ｂを介して頂部１２及び底部１３間をその経度方向に延伸、並列する複数本（図１においては１０本）の細帯部であることが好ましく（…）、従って、容器１の形状は、提灯型形状であることが好ましい。」との記載がある（同文献の段落００２５、図１及び図２参照）。
【先行技術文献】
【特許文献】
【０００４】
【特許文献１】特開平１１−０３２６４８号公報
【特許文献２】特開２００９−０３４０５４号公報
【発明の概要】
【発明が解決しようとする課題】
【０００５】
特許文献１に記載の飛翔害虫誘引捕獲粘着シ−ト材を同文献の図３に示されるように吊るして使用した場合、この飛翔害虫誘引捕獲粘着シ−ト材は、風を受けると揺れて風が流れ行く方向に向かって靡く。このため、飛翔害虫誘引捕獲粘着シ−ト材は、風に沿って移動することの多い飛翔害虫を捕捉しにくい。また、この飛翔害虫誘引捕獲粘着シ−ト材は平坦な形状をなしていて、野菜、果実、花卉等の植物（特許文献１では、トマト）が栽培される栽培空間に配置されると、植物の葉や幹、花、果実等に付着しやすい。
【０００６】
特許文献２に記載の害虫捕獲器１０は、同文献の図２に示される切込み入りシート４を切り込み４１の延びる方向（同文献の図１及び図２での縦方向）に縮めることで、球形の提灯形状になす。即ち、この害虫捕獲器１０は、切込み入りシート４と比較して、小さく纏まった形状をなしている。このため、害虫を害虫捕獲器１０に捕捉する際の捕捉効率は、切り込み入りシート４に切り込み４１を入れずシート状にしたままのものを設置した場合よりも低下する。
【０００７】
なお、発明者は、捕虫シートを植物の葉を模した形状とすることで、害虫の捕捉効率が上昇するという知見を得ている。しかしながら、捕虫シートを、植物の葉のように見える複雑な輪郭を有し、且つ、葉のような立体的な凹凸形状をなすように加工することは、非常に手間がかかり、また、加工後にその形を維持し続けることにも大きな困難が伴う。
【０００８】
本発明は、上記の点を鑑みてなされたものであり、捕虫シートでの害虫の捕捉効率を上昇させ、且つ、捕虫シートの周囲に配置される配置物の損傷を防ぐことを目的とする。
【課題を解決するための手段】
【０００９】
本発明の捕虫シート保持器具は、可撓性及び弾力性を有しシート状をなし切目が設けられて伸長可能であり少なくとも一方の面に粘着剤が塗布された捕虫シートの両端部を引っ掛けて、前記捕虫シートを伸長した状態のままで保持する一対の引掛部を備える。
【００１０】
本発明の捕虫シートの保持方法は、可撓性及び弾力性を有しシート状をなし切目が設けられて伸長可能であり少なくとも一方の面に粘着剤が塗布された捕虫シートを把持して前記捕虫シートを伸長する工程と、伸長させた状態の前記捕虫シートの両端部を捕虫シート保持器具に設けられる一対の引掛部のそれぞれに引っ掛ける工程と、を備える。
【００１１】
本発明は、上記の捕虫シートについても規定する。
【発明の効果】
【００１２】
本発明によれば、捕虫シートが伸長された状態で捕虫シート保持器具に保持され、捕虫シートが設置された空間で吹いた風が広がった切目の合間をすり抜けるようになり、さらに、捕虫シートの両端部が引掛部に引っ掛けられて固定される。これにより、捕虫シートは、風に靡かなくなり、捕虫シートでの害虫の捕捉効率が上昇する。また、捕虫シートが伸長されて立体的な凹凸形状となることで、捕虫シートの周囲に配置される配置物の損傷を防ぐことができる。
【図面の簡単な説明】
【００１３】
【図１】捕虫シートを保持した状態での捕虫シート保持器具の斜視図である。
【図２】捕虫シート保持器具の斜視図である。
【図３】捕虫シートの正面図である。
【図４】捕虫シート保持器具に対する捕虫シートの装着について説明するための捕虫シート保持器具等の斜視図である。
【図５】第１支柱ホルダを保持し、且つ、この第１支柱ホルダを用いて支柱に対し設置された状態の捕虫シート保持器具及び捕虫シートの側面図である。
【図６】部品装着部の変形例について説明するための捕虫シート保持器具等の斜視図である。
【図７】捕虫シートを保持し、且つ、直列に連結された状態での複数の捕虫シート保持器具の側面図である。
【図８】図７の部分拡大図である。
【図９】捕虫シートの第一変形例を示す正面図である。
【図１０】捕虫シートの第二変形例を示す正面図である。
【図１１】捕虫シートの第三変形例を示す正面図である。
【図１２】捕虫シートの第四変形例を示す正面図である。
【図１３】捕虫シートの第五変形例を示す正面図である。
【発明を実施するための形態】
【００１４】
実施の一形態を、図１ないし図１３に基づいて説明する。図１は、捕虫シート１０１を保持した状態での捕虫シート保持器具２０１の斜視図である。図２は、捕虫シート保持器具２０１の斜視図である。なお、図１では、第１支柱ホルダ２５１や吸盤２７１（図４参照）、第２支柱ホルダ２９１（図６参照）は省略されている。また、図２では、捕虫シート保持器具２０１に対して支柱ホルダ（説明の便宜上、以下の説明において、この支柱ホルダを「第１支柱ホルダ２５１」と呼ぶことがある）が装着された状態が示されている。
【００１５】
捕虫シート保持器具２０１は、樹脂成形にて形成されて適度な弾力を有する。捕虫シート保持器具２０１は、基部２０２Ａと、腕部２０２Ｂと、一対の引掛部２０２Ｃとを含んでいる。
【００１６】
基部２０２Ａは、長尺状をなしている。本実施の形態では、基部２０２Ａは直線状をなしているが、この基部２０２Ａを円弧状や波形状、ジグザグ形状等にすることもできる。基部２０２Ａの略中央箇所からは、取付部品としての第１支柱ホルダ２５１や吸盤２７１（図４参照）を着脱自在に装着可能な、部品装着部２０３を設けることもできる。なお、本実施の形態では、部品装着部２０３として突起形状のものを採用した例を述べるが、取付部品（第１支柱ホルダ２５１、吸盤２７１、第２支柱ホルダ２９１等）を装着できるものであればよい。また、部品装着部２０３は、基部２０２Ａの略中央箇所から外れて基部２０２Ａのいずれか一方の端部に寄っている箇所から突出するようにしてもよい。
【００１７】
腕部２０２Ｂは、基部２０２Ａ中の二箇所から延びる。本実施の形態では、腕部２０２Ｂは、基部２０２Ａの両端から、部品装着部２０３が突出する方向とは反対の方向に延びる。腕部２０２Ｂは、基部２０２Ａから延長する方向に延び、続いて部品装着部２０３の突出する方向とは反対側に円弧状に曲がる形状をなしている。これにより、本実施の形態では、捕虫シート保持器具２０１の全体が、ハンガー状をなしている。ここで、腕部２０２Ｂを、基部２０２Ａの端部よりも中央寄りの箇所から延ばすようにしても良い。また、腕部２０２Ｂを、基部２０２Ａの端部から基部２０２Ａと直交する方向に直線状又は曲線状に延ばすようにしてもよい。また、腕部２０２Ｂを、基部２０２Ａの延長方向とこれに直交する方向との間の斜め方向に直線状又は曲線状に延ばすようにしてもよい。さらに、腕部２０２Ｂとして、これ以外の形状も採用してもよい。また、前述の部品装着部２０３は、腕部２０２Ｂに設けられても良い。
【００１８】
一対の引掛部２０２Ｃは、いずれも、フック状をなし、腕部２０２Ｂにおける基部２０２Ａとは反対側の端部に設けられる。一例として、一対の引掛部２０２Ｃは、図２に示すように、それぞれの腕部２０２Ｂの端の近傍位置から互いに対面する箇所に設けられ、互いに近づくように基部２０２Ａに概ね平行に延びている。引掛部２０２Ｃには、捕虫シート１０１の引掛孔１０２（図３も参照）を引っ掛けることができる。
【００１９】
図３は、捕虫シート１０１の正面図である。捕虫シート１０１は、一例として、図３に示すような、平面視にて長尺の矩形に見える平坦なシート形状をなしている。なお、捕虫シート１０１は、その全体として、長尺矩形以外の形状に形成されてもよく、例えば、全体として木の葉形状をなしていてもよい。捕虫シート１０１の長手方向の長さは、捕虫シート１０１（図１、図２等参照）での一対の引掛部２０２Ｃ（図１、図２等参照）間の距離よりも短い。
【００２０】
捕虫シート１０１は、可撓性及び弾力性を有するシート状の基材の少なくとも一方の面、好ましくは両面に、害虫を補足するための粘着剤を塗布して形成される。粘着剤は、透明なものが好ましい。シート状の基材には、例えば、ポリプロピレン等により作られるプラスチックフィルムを採用することができる。また、基材の色には、例えば、黄色蛍光色や透明を採用することができる。
【００２１】
捕虫シート１０１には、引掛孔１０２を設けることができる。引掛孔１０２は、捕虫シート１０１を構成するシート状の基材に撃ち抜かれて形成される孔である。引掛孔１０２は、一例として、捕虫シート１０１の両方の短辺の近傍で、その短手方向の略中央の箇所に設けることができる。
【００２２】
捕虫シート１０１には、切目１０３が設けられる。切目１０３は、捕虫シート１０１を引っ張って伸長できるように設けられる。本実施の形態では、切目１０３により、捕虫シート１０１はその長手方向に伸長可能となっている。本実施の形態において、切目１０３は、捕虫シート１０１の短手方向に直列状に複数並んでいる。この直列状に並んだ複数の切目１０３を切目列１０４と呼ぶ。切目列１０４内では、個々の切目１０３の間が切り離されていない。切目列１０４は、捕虫シート１０１内に複数含まれ、捕虫シート１０１の長手方向に並列状に並んでいる。切目列１０４には、第１切目列１０４Ａと第２切目列１０４Ｂとがある。第１切目列１０４Ａは、捕虫シート１０１の両側部分と略中央部分とを切り離さないようにして捕虫シート１０１の短手方向に並べられた二つの切目１０３により構成されるものである。第２切目列１０４Ｂは、捕虫シート１０１の短手方向の略中央に一つの切目１０３と、これの短手方向の両方に並んで捕虫シート１０１の側部まで延びる別の切目１０３とにより構成されるものである。本実施の形態の捕虫シート１０１において、第１切目列１０４Ａと第２切目列１０４Ｂとは、捕虫シート１０１の長手方向に並列に互い違いに並んでいる。これにより、捕虫シート１０１において、切目１０３は、網目状に並ぶことになる。このような捕虫シート１０１をその長手方向に引っ張ると、捕虫シート１０１は、図１に示すように、網目状に広がって伸長し、且つ、切目１０３が入れられた箇所の周辺が捕虫シート１０１の延展方向と交差する方向に動く。その結果、捕虫シート１０１は、魚の鱗や銀杏の葉や瓦のような凹凸状に変形する。
【００２３】
本実施の形態では、いずれの切目１０３も、捕虫シート１０１の一方の短辺に円弧の凸側を向けた向きに並んでいる。切目１０３の形状は、多様なものを採用することができる。この点については、図９〜図１３に基づいて後述する。
【００２４】
捕虫シート１０１を構成するにあたり、粘着剤は、シート状の基材の両面に塗布されることが好ましいが、一方の面のみに塗布されても良い。また、シート状の基材に塗布された粘着剤に対して、剥離紙を重層させておいてもよい。
【００２５】
粘着剤は、シート状の基材において引掛孔１０２の周辺領域を避けた部分に塗布される。一例として、粘着剤を、一対の引掛孔１０２の周囲箇所を除く全ての部分（図３中の一点鎖線ＸＡで囲まれる部分）に塗布することができる。また、粘着剤を、捕虫シート１０１の各短辺に沿う端部部分を避け、且つ、全て切目１０３を囲む部分（図３中の一点鎖線ＸＢで囲まれる部分）に塗布することができる。また、粘着剤を、捕虫シート１０１での中央寄りで一部の切目１０３を囲む部分（図３中の一点鎖線ＸＣで囲まれる部分）に塗布することができる。
【００２６】
図４は、捕虫シート保持器具２０１に対する捕虫シート１０１の装着について説明するための捕虫シート保持器具２０１等の斜視図である。捕虫シート１０１を伸長させた状態で捕虫シート保持器具２０１に把持させるに際し、作業者は、まず、捕虫シート１０１を把持して、捕虫シート１０１を伸長する。このとき、作業者は、捕虫シート１０１のうち引掛孔１０２の近傍で粘着剤が塗布されていない部分を把持し、捕虫シート１０１をその長手方向に引っ張る。これにより、捕虫シート１０１は、その長手方向に延び、切目１０３が入れられた箇所の周辺が捕虫シート１０１の延展方向と交差する方向に動き、捕虫シート１０１は、魚の鱗や銀杏の葉や瓦のような凹凸を有する形状に変形して図１に示すような形状になる。
【００２７】
続いて、作業者は、伸長させた状態の捕虫シート１０１について、その両端部を捕虫シート保持器具２０１の一対の引掛部２０２Ｃのそれぞれに引っ掛ける。捕虫シート１０１の両端部の一例は、捕虫シート１０１に設けられた引掛孔１０２である。これにより、捕虫シート１０１は、それ自身の弾力性により長手方向に縮もうとして、一対の引掛部２０２Ｃの間に張られる。その結果、捕虫シート１０１は、図１に示すような魚の鱗や銀杏の葉や瓦のような凹凸を有する形状に変形した状態のまま、捕虫シート保持器具２０１に保持され、その形状のままで安定する。
【００２８】
捕虫シート１０１は、このように伸長された状態で捕虫シート保持器具２０１に保持されることで、捕虫シート１０１が設置された空間で吹いた風が広がった切目１０３の合間をすり抜けるようになる。さらに、捕虫シート１０１の両端部が引掛部２０２Ｃに引っ掛けられて固定されることになる。これにより、捕虫シート１０１は、風に靡かなくなり、飛翔害虫を捕捉しやすくなる。即ち、捕虫シート１０１での害虫の捕捉効率が上昇する。また、捕虫シート１０１が伸長されて立体的な凹凸形状となることで、捕虫シート１０１の周囲に配置される配置物が接触しにくくなり、この配置物の損傷を防ぐことができる。さらに、伸長されて変形した捕虫シート１０１が植物の葉のような形状となるので、害虫が捕虫シート１０１に誘引され、結果として害虫の捕捉効率が上昇することになる。
【００２９】
なお、粘着剤を、捕虫シート１０１に対して、捕虫シート１０１での中央寄りで一部の切目１０３を囲む部分（図３中の一点鎖線ＸＣで囲まれる部分）に塗布した場合、引掛部２０２Ｃに引っ掛けられる捕虫シート１０１の両端部を、引掛孔１０２のみならず、この引掛孔１０２に近い箇所の切目１０３とすることもできる。この場合、捕虫シート１０１を伸長した際の捕虫シート１０１の立体形状が変化することになる。このような立体形状が異なる伸長後の捕虫シート１０１を複数種類混在させて設置することで、捕虫シート１０１に対する害虫の捕捉効率を変化させることもできる。
【００３０】
また、上記に述べた、捕虫シート１０１を伸長させた状態で捕虫シート保持器具２０１に把持させる作業を、作業者がおこなうのではなく、ロボット等の機械に捕虫シート１０１をクランプさせて、この機械に捕虫シート１０１を伸長させて引掛部２０２Ｃに引っ掛けるようにしてもよい。
【００３１】
本実施の形態の捕虫シート保持器具２０１は、捕虫シート１０１を保持した状態で、様々な場所に設置することができる。以下に、その設置例、及び、そのように設置するための構成を述べる。
【００３２】
図５は、第１支柱ホルダ２５１を保持し、且つ、この第１支柱ホルダ２５１を用いて支柱Ｐに対し設置された状態の捕虫シート保持器具２０１及び捕虫シート１０１の側面図である。図４及び図５を参照し、第１支柱ホルダ２５１及びこれを用いての捕虫シート保持器具２０１の設置方法について述べる。野菜、果実、花卉等の植物が栽培される栽培空間では、園芸用の支柱Ｐが、その下端部を地面等に埋め込まれたり、植物の茎部に紐等で縛り付けられたりして固定されている場合が多い。本実施の形態では、取付部品としての第１支柱ホルダ２５１を用いて、捕虫シート保持器具２０１を支柱Ｐに取り付け、捕虫シート１０１を伸長させた状態で栽培空間に配置することができる。第１支柱ホルダ２５１は、Ｔ字状をなす部材であって、支柱Ｐの外周に装着される中空の支柱用筒部２５２と、支柱用筒部２５２の中腹から延びる装着部用筒部２５３とを有する。第１支柱ホルダ２５１は、例えば、樹脂成形によって作ることができる。
【００３３】
部品装着部２０３には、第１支柱ホルダ２５１の装着部用筒部２５３を装着することができる。部品装着部２０３は、本実施の形態では、二つの爪部２０３Ａを有する。これら二つの爪部２０３Ａは、若干の隙間を設けて離間し基部２０２Ａの長さ方向に隣り合う。いずれの爪部２０３Ａの先端にも、略半球状に丸みを帯びた爪突起２０３Ａａが互いに離反する方向に向けて設けられる。爪突起２０３Ａａは、装着部用筒部２５３における支柱用筒部２５２側の端部に引っ掛かることができるようになっている。吸盤２７１は、例えば、その全体を、弾力性を有するゴム素材で作ることができる。
【００３４】
捕虫シート保持器具２０１に第１支柱ホルダ２５１を装着するとき、作業者は、二つの爪部２０３Ａを互いに近づけるようにつまんで撓ませ、爪部２０３Ａの爪突起２０３Ａａを装着部用筒部２５３の開口端に挿入する。爪部２０３Ａは、装着部用筒部２５３の開口端に入りつつあるときにも撓む。爪部２０３Ａの先端部（爪突起２０３Ａａ）が装着部用筒部２５３を通過しきって支柱用筒部２５２まで達すると、撓みが戻って、爪突起２０３Ａａが装着部用筒部２５３の端部に係合する。このようにして、捕虫シート保持器具２０１に第１支柱ホルダ２５１を装着し、捕虫シート１０１を捕虫シート保持器具２０１に保持させて栽培空間に配置しても、植物の葉や茎、花卉、果実等は、立体的な凹凸形状に変形した捕虫シート１０１に付着しにくく、損傷しにくい。さらに、捕虫シート１０１が伸長して切目１０３が広がることにより、捕虫シート１０１による太陽光の遮蔽が抑えられる。
【００３５】
ここで、装着部用筒部２５３の内周面は円筒状になっており、また、爪部２０３Ａの爪突起２０３Ａａは略半球状に丸みを帯びていることから、捕虫シート保持器具２０１は、第１支柱ホルダ２５１の装着部用筒部２５３の軸線ＡＸを中心とする図５に示される矢印Ｒ１の方向に３６０度回動することができる。
【００３６】
捕虫シート保持器具２０１から第１支柱ホルダ２５１を取り外すとき、作業者は、第１支柱ホルダ２５１を手で持ち、捕虫シート保持器具２０１を装着部用筒部２５３の軸線ＡＸに沿って強く引っ張る。これにより、装着部用筒部２５３の端部に引っ掛かった爪部２０３Ａは、爪突起２０３Ａａの丸みにより装着部用筒部２５３の端部に引っ掛かって撓み、その後、装着部用筒部２５３から抜ける。
【００３７】
図４を参照し、吸盤２７１及びこれを用いての捕虫シート保持器具２０１の設置方法について述べる。本実施の形態では、取付部品としての吸盤２７１を用いて、捕虫シート保持器具２０１を捕虫シート保持器具２０１及び捕虫シート１０１をキッチンのステンレス部分、テーブルの下面、寿司屋等のカウンターの下面、店舗の壁面等に取り付け、捕虫シート１０１を伸長させた状態で配置することができる。吸盤２７１は、壁面に吸着されるドーム状の吸着部２７２と、吸着部２７２の頂部から突出する装着部用筒部２７３とを有する。装着部用筒部２７３の周面には、一対の保持孔２７４が設けられる。一対の保持孔２７４は、いずれも、装着部用筒部２７３の直径方向に貫通しており、互いに対面している。
【００３８】
部品装着部２０３には、吸盤２７１の装着部用筒部２７３を装着することができる。本実施の形態では、捕虫シート保持器具２０１に吸盤２７１を装着するとき、作業者は、二つの爪部２０３Ａを互いに近づけるようつまんで撓ませ、爪部２０３Ａの爪突起２０３Ａａを装着部用筒部２７３の開口端に挿入する。爪部２０３Ａは、装着部用筒部２７３の開口端に入りつつあるときにも撓む。爪部２０３Ａの先端部（爪突起２０３Ａａ）が装着部用筒部２７３を通過しきって保持孔２７４まで達すると、撓みが戻って、爪突起２０３Ａａが保持孔２７４に係合する。
【００３９】
捕虫シート保持器具２０１から吸盤２７１を取り外すときには、吸盤２７１を手で持って固定し、捕虫シート保持器具２０１を装着部用筒部２７３の軸線ＡＸ２の方向に強く引っ張る。この場合、保持孔２７４に引っ掛かった爪部２０３Ａの爪突起２０３Ａａは、丸みを帯びているために、一旦撓んだ後に吸盤２７１から外れる。
【００４０】
図６は、部品装着部２０３の変形例について説明するための捕虫シート保持器具２０１等の斜視図である。部品装着部２０３を、図６に示すような、基部２０２Ａから延びる柱部２０３Ｂと、柱部２０３Ｂの先端に形成される球状部２０３Ｃとからなる構成とすることもできる。このような部品装着部２０３を採用した捕虫シート保持器具２０１を支柱Ｐに取り付けるために、取付部品として、第１支柱ホルダ２５１とは異なる別の支柱ホルダ（「第２支柱ホルダ２９１」と呼ぶことがある）を用いることができる。第２支柱ホルダ２９１は、柱部２０３Ｂ及び球状部２０３Ｃを装着可能な球受部２９２と、異なる太さの支柱（後述する細い支柱Ｐ１及び太い支柱Ｐ２の少なくともいずれか）を装着可能な支柱用筒部２９３とを有する。第２支柱ホルダ２９１は、例えば、樹脂成形によって作ることができる。
【００４１】
球受部２９２は、その一端にのみ開口２９２Ａを有する筒状を基本とし、この開口２９２Ａと連続し球受部２９２の長さ方向に延びる長孔２９２Ｂを側面に形成する形状をなす。
【００４２】
支柱用筒部２９３は、断面形状が略雪ダルマ状に見える長尺をなす。支柱用筒部２９３は、細い支柱Ｐ１が装着可能な径小筒部２９３Ａと、細い支柱Ｐ１よりも相対的に太い支柱Ｐ２を装着可能な径大筒部２９３Ｂとを有していて、径小筒部２９３Ａと径大筒部２９３Ｂとを略平行に並べ、径小筒部２９３Ａの内側空間と径大筒部２９３Ｂの内側空間とを連ねた形状をなしている。径大筒部２９３Ｂの側面であって径小筒部２９３Ａとは反対側に位置する部分には、支柱用筒部２９３の長さ方向に延びるスリット２９３Ｃが切られている。スリット２９３Ｃにより、支柱用筒部２９３は、第２支柱ホルダ２９１自身の弾力性によって周回り方向に開くことができるようになっている。このような支柱用筒部２９３は、径小筒部２９３Ａの側面で径大筒部２９３Ｂとは反対側に位置する部分で球受部２９２の側面に接続しており、球受部２９２と平行に延びている。
【００４３】
捕虫シート保持器具２０１に第２支柱ホルダ２９１を装着するとき、作業者は、部品装着部２０３の球状部２０３Ｃを球受部２９２の開口２９２Ａから導入し、部品装着部２０３の柱部２０３Ｂを球受部２９２の長孔２９２Ｂに嵌め込んで、球状部２０３Ｃが球受部２９２の閉口端２９２Ｃに突き当たるまで部品装着部２０３を第２支柱ホルダ２９１の長さ方向にスライド移動させる。球状部２０３Ｃが球受部２９２内にあるとき、球状部２０３Ｃが径小筒部２９３Ａの内周面に接するか柱部２０３Ｂが長孔２９２Ｂの縁に接するかの少なくともいずれかにより、第２支柱ホルダ２９１が部品装着部２０３を保持することになる。ここで、閉口端２９２Ｃを、球状部２０３Ｃの外形に一致する半球の球殻形状として、閉口端２９２Ｃが球状部２０３Ｃを受け止めることができるようにしてもよい。
【００４４】
捕虫シート保持器具２０１から第２支柱ホルダ２９１を取り外すとき、作業者は、第２支柱ホルダ２９１を手で持ち、この第２支柱ホルダ２９１をスライド移動させて、開口２９２Ａから部品装着部２０３の球状部２０３Ｃを離脱させる。
【００４５】
なお、第２支柱ホルダ２９１において、球受部２９２の長さと支柱用筒部２９３の長さとは、同じであっても異なっていても良い。また、球受部２９２と支柱用筒部２９３とは、これらの長さ方向に異なった箇所で接続されていてもよい。一例として、図６において符号２９１Ｐで示す第２支柱ホルダ２９１のように、球受部２９２を支柱用筒部２９３よりも短くし、球受部２９２の開口２９２Ａ側の端面と支柱用筒部２９３の一方の端面とを一致させることができる。また、別の一例として、図６において符号２９１Ｑで示す第２支柱ホルダ２９１のように、球受部２９２を支柱用筒部２９３よりも一層短くし、球受部２９２の開口２９２Ａ側の端面も閉口端２９２Ｃも、支柱用筒部２９３の外側面上に位置するようにすることができる。
【００４６】
図７は、捕虫シート１０１を保持し、且つ、直列に連結された状態での複数の捕虫シート保持器具２０１の側面図である。図８は、図７の部分拡大図である。なお、図７では、捕虫シート１０１は簡略化されている。また、図８では、捕虫シート１０１は省略されている。図２、図４、図５、図７及び図８を参照する。捕虫シート保持器具２０１では、腕部２０２Ｂに、連結部２０２Ｄを設けることができる。連結部２０２Ｄの配置箇所は、一例として、図８等に示すように、腕部２０２Ｂにおける引掛部２０２Ｃとは反対側の側面である。連結部２０２Ｄの形状の一例は、図８に示すようなフック状である。本実施の形態では、連結部２０２Ｄは、腕部２０２Ｂとの接続箇所２０２Ｄａから腕部２０２Ｂに沿うように延びるアーム部２０２Ｄｂと、アーム部２０２Ｄｂの先端に形成されるフック部２０２Ｄｃとを有する。フック部２０２Ｄｃは、略リング状をなしている。また、アーム部２０２Ｄｂと腕部２０２Ｂとの間、及び、フック部２０２Ｄｃと腕部２０２Ｂとの間には、隙間が設けられている。
【００４７】
複数の捕虫シート保持器具２０１を連結するとき、作業者は、一方の捕虫シート保持器具２０１でのフック部２０２Ｄｃと腕部２０２Ｂとの間の隙間に、他方の捕虫シート保持器具２０１でのフック部２０２Ｄｃを挿入する。このとき、アーム部２０２Ｄｂは、接続箇所２０２Ｄａを中心に撓んで腕部２０２Ｂから離れる方向に動く。このようにして連結部２０２Ｄを用いて複数の捕虫シート保持器具２０１を連結することで、例えば、複数の捕虫シート保持器具２０１を上下に長く吊るし、これらの捕虫シート保持器具２０１のいずれにも捕虫シート１０１を保持させて、捕虫シート１０１による害虫の捕捉可能範囲を広げることができる。ここで、アーム部２０２Ｄｂは腕部２０２Ｂに沿っているので、連結部２０２Ｄにより互いに連結された二つの捕虫シート保持器具２０１が連結部２０２Ｄを中心に図８中の矢印Ｒ２の方向に揺れ動いても、アーム部２０２Ｄｂ同士が衝突しにくい。
【００４８】
なお、上記では、連結部２０２Ｄが捕虫シート保持器具２０１に設けられる一対の腕部２０２Ｂの両方に設けられる例を示したが、連結部２０２Ｄを一方の腕部２０２Ｂにのみ設けることもできる。この場合での複数の捕虫シート保持器具２０１の連結は、一例として、一方の捕虫シート保持器具２０１での連結部２０２Ｄのフック部２０２Ｄｃを、他方の捕虫シート保持器具２０１における腕部２０２Ｂと引掛部２０２Ｃとの間の溝部Ｖに引っ掛けることによりなされる。
【００４９】
本実施の形態の捕虫シート保持器具２０１には、様々な形状の捕虫シート１０１を伸長させて保持することができる。捕虫シート１０１の変形例について、以下に述べる。図９は、捕虫シート１０１の第一変形例を示す正面図である。例えば、図３に基づいて述べた捕虫シート１０１について、切目１０３のうち第２切目列１０４Ｂを構成するものを、図９に示すように、捕虫シート１０１の長手方向に反転させるように構成してもよい。
【００５０】
図１０は、捕虫シート１０１の第二変形例を示す正面図である。また、図３に基づいて述べた捕虫シート１０１について、切目１０３の形状を、円弧状ではなく、図１０に示すように、直線部１０３ａとその両端から延びる曲線部１０３ｂとからなる片括弧状に構成してもよい。
【００５１】
図１１は、捕虫シート１０１の第三変形例を示す正面図である。また、図９に基づいて述べた捕虫シート１０１の変形例（第一変形例）について、切目１０３の形状を、図１０に基づいて述べたような直線部１０３ａと曲線部１０３ｂとからなる片括弧状に構成してもよい。
【００５２】
図１２は、捕虫シート１０１の第四変形例を示す正面図である。また、図１１に基づいて述べた捕虫シート１０１の変形例（第三変形例）について、切目１０３における曲線部１０３ｂ（図１１参照）の形状を、図１２に示すように、短い直線状をなす短直線部１０３ｃとしてもよい。
【００５３】
図１３は、捕虫シート１０１の第五変形例を示す正面図である。また、図３に基づいて述べた捕虫シート１０１について、切目１０３の形状を、図１３に示すように、捕虫シート１０１の短手方向に延びる直線状に構成してもよい。
【符号の説明】
【００５４】
１０１    捕虫シート
１０３    切目
２０１    捕虫シート保持器具
２０２Ａ  基部
２０２Ｂ  腕部
２０２Ｃ  引掛部
２０２Ｄ  連結部
２０３    部品装着部
２５１    第１支柱ホルダ（取付部品）
２７１    吸盤（取付部品）
２９１    第２支柱ホルダ（取付部品）
【図１】
2013132253.tif 000003
【図２】
2013132253.tif 000004
【図３】
2013132253.tif 000005
【図４】
2013132253.tif 000006
【図５】
2013132253.tif 000007
【図６】
2013132253.tif 000008
【図７】
2013132253.tif 000009
【図８】
2013132253.tif 000010
【図９】
2013132253.tif 000011
【図１０】
2013132253.tif 000012
【図１１】
2013132253.tif 000013
【図１２】
2013132253.tif 000014
【図１３】
2013132253.tif 000015